(57)【要約】【課題】一眼レフレックスタイプのデジタルカメラにおいて、電子ズーム使用時においても、撮影者の意図する合焦動作を確保することの出来るデジタルカメラを実現する。【解決手段】撮像装置は、光路に挿抜される可動ミラーと、被写体像を撮影して画像信号を生成する撮像素子と、画像信号に基づいて画像の拡大・縮小処理を行い、画像信号を生成する信号処理部と、当該画像信号に基づいて、被写体像の一部に関する合焦状態を示す合焦信号を検知するフォーカスセンサと、画像信号に基づいて画像を表示する表示装置と、表示装置にさらに表示されるフォーカスフレームの生成を制御する制御部とを備えている。フォーカスフレームは、被写体像の一部に対応する画像上の位置に表示されてフォーカスセンサが合焦状態を検出する位置を示す。制御部は、画像の拡大処理または縮小処理に応じて、フォーカスフレームの表示を変更して表示装置に表示する。【選択図】図１
2008046620.tif 000002
【特許請求の範囲】
【請求項１】
撮像レンズ装置と着脱可能に接続される撮像装置であって、
前記撮像レンズ装置は、被写体像を形成する撮像レンズ系を有しており、
光路に挿抜されることにより、前記被写体像が形成される位置を、第１位置および第２位置の一方に切り替え可能な可動ミラーと、
前記第１位置に配置され、前記被写体像を撮影して画像信号を生成する撮像素子と、
前記画像信号に基づいて画像の拡大処理または縮小処理を行い、処理された画像信号を生成する信号処理部と、
前記第２位置に前記被写体像が形成されているときの前記被写体像に基づいて、前記被写体像の一部に関する合焦状態を示す合焦信号を検知するフォーカスセンサと、
前記画像信号に基づいて画像を表示する表示装置と、
前記表示装置にさらに表示されるフォーカスフレームの生成を制御する制御部と
を備え、前記フォーカスフレームは、前記被写体像の一部に対応する前記画像上の位置に表示されて前記フォーカスセンサが合焦状態を検出する位置を示し、前記制御部は、前記信号処理部における前記画像の拡大処理または縮小処理に応じて、前記フォーカスフレームの表示を変更して前記表示装置に表示する、撮像装置。
【請求項２】
前記制御部は、前記信号処理部における前記画像の拡大率または縮小率に応じて前記フォーカスフレームの大きさを変更して前記表示装置に表示する、請求項１に記載の撮像装置。
【請求項３】
前記フォーカスフレームは複数存在しており、
前記制御部は、前記信号処理部における前記画像の拡大率または縮小率に応じて各フォーカスフレームの間の距離を変更して前記表示装置に表示する、請求項２に記載の撮像装置。
【請求項４】
前記制御部は、前記信号処理部における前記画像の拡大率または縮小率に対応させて、前記フォーカスフレームの複数の表示態様を示すデータを保持するメモリをさらに備え、
前記制御部は、前記信号処理部における前記画像の拡大率または縮小率に応じて前記メモリを参照し、前記複数の表示態様を示すデータの一つを読み出し、読み出したデータに基づいて前記フォーカスフレームの大きさを変更して前記表示装置に表示する、請求項２に記載の撮像装置。
【請求項５】
前記メモリは、前記信号処理部における前記画像の拡大率または縮小率に対応させて、前記フォーカスフレームの表示位置および拡大率が異なる複数の表示態様を示すデータを保持する、請求項４に記載の撮像装置。
【発明の詳細な説明】
【技術分野】
【０００１】
本発明は、撮像装置、特にデジタルカメラに関する。より具体的には、本発明は、撮像素子から出力される画像信号を逐次処理して、画像信号に対応した可視画像を表示装置に逐次表示する撮影モードを有する一眼レフレックスタイプのデジタルカメラに関する。
【背景技術】
【０００２】
近年、ＣＣＤ（Ｃｈａｒｇｅ  Ｃｏｕｐｌｅｄ  Ｄｅｖｉｃｅ）イメージセンサやＣＭＯＳ（Ｃｏｍｐｌｅｍｅｎｔａｒｙ  Ｍｅｔａｌ−Ｏｘｉｄｅ  Ｓｅｍｉｃｏｎｄｕｃｔｏｒ）イメージセンサなどの撮像素子を持つ一眼レフレックスタイプのデジタルカメラが、数多く提案され、販売されている。
【０００３】
一眼レフレックスタイプのデジタルカメラは、光学的な像が形成される位置を、互いに相異なる第１及び第２の位置に切り替える可動ミラー（クイックリターンミラー）を備えている。このようなデジタルカメラは、撮像時には第１の位置に形成された光学的な像を撮像素子で受光して、電気的な画像信号に変換して出力する。一方、撮像前の構図決定時には、デジタルカメラは、第２の位置に形成された光学的な像をビューファインダーのフォーカシングスクリーン上に形成する。その像は、観察撮像レンズ系を介して撮影者の瞳へ導かれる。
【０００４】
コンパクトデジタルカメラと同様、一眼レフレックスタイプのデジタルカメラにおいても、さまざまな機能が搭載された製品が提案されている。例えば特許文献１は、光学ズーム機能および電子ズーム機能を有する電子カメラ装置を提案している。光学ズーム機能とは、撮像レンズ系の変倍機能を利用して被写体を拡大・縮小する機能である。電子ズーム機能とは、撮像素子から出力される画像信号の一部を切り出して記録することにより、被写体を拡大・縮小する機能である。特許文献１の装置は、両方のズーム機能を組み合わせることによって、見かけ上の焦点距離変化範囲を幅広く変化させることが可能である。
【０００５】
また、合焦動作時、いわゆるオートフォーカス動作時において実行される種々の機能が存在する。たとえば上述の電子カメラ装置は、撮像素子から出力される画像信号をオートフォーカス（ＡＦ）センサーで検知する。そして、撮影画面上のどの被写体に合焦しているのかがわかりやすいように、ＡＦフレームを、通常、光学ファインダー及び表示モニタの両方に表示する。この「ＡＦフレーム」はＡＦセンサーが配置されている位置に対応して、被写体像に重畳して表示される。撮影者は光学ファインダーあるいは表示モニタ上に表示された、焦点を合わせたい被写体の位置にＡＦフレームを合わせる。これにより、当該位置の信号をＡＦセンサーが検知し、希望する位置にピントを合わせた撮影が可能となる。
【特許文献１】特開２００４−７２２０６号公報
【発明の開示】
【発明が解決しようとする課題】
【０００６】
ＡＦセンサーは通常、撮像素子上の予め定められた位置に入射した光信号を検知するように配置されている。ＡＦセンサーは当該位置における画像信号の高周波成分の変化を検知して、合焦のための信号をオートフォーカス制御機構にフィードバックする。
【０００７】
レンズがズーム機能を有している場合において、電子カメラ装置が撮像素子上の有効画素全体でとらえた画像を記録し、またはモニタ上に表示する時は、ズーム機能を動作させたとしても、光学ファインダー及び表示モニタ上には撮像素子上の有効画素全体でとらえた画像（ズーム倍率に連動した画像）が表示される。よって、ＡＦフレーム表示位置と実際にＡＦセンサーが配置されている位置とにずれは生じない。
【０００８】
しかしながら、電子カメラ装置が撮像素子上の有効画素の一部でとらえた画像を記録し、またはモニタ上に表示する時は、ＡＦフレーム表示位置と実際にＡＦセンサーが配置されている位置とにずれが発生する。その理由は、当該一部の領域でとらえた画像が有効画素全体でとらえた画像と同じサイズになるように拡大されて、光学ファインダー及び表示モニタ上に表示されるにもかかわらず、ＡＦフレーム表示のサイズは変更は、考慮されていなかったためである。その結果、撮影者は自分が意図する位置に正確に焦点が合っているか否かを判断することが困難であった。なお、撮像素子の一部の領域でとらえた画像を記録する態様としては、電子ズーム機能をオンにした時、あるいは、記録画素数を変更する撮影時が該当する。
【０００９】
本発明の目的は、一眼レフレックスタイプのデジタルカメラにおいて、電子ズーム使用時あるいは記録画素数を変更した撮影においても、撮影者の意図する合焦動作を確保することの出来るデジタルカメラを実現することである。
【課題を解決するための手段】
【００１０】
本発明による撮像装置は、撮像レンズ装置と着脱可能に接続される。前記撮像レンズ装置は、被写体像を形成する撮像レンズ系を有している。前記撮像装置は、光路に挿抜されることにより、前記被写体像が形成される位置を、第１位置および第２位置の一方に切り替え可能な可動ミラーと、前記第１位置に配置され、前記被写体像を撮影して画像信号を生成する撮像素子と、前記画像信号に基づいて画像の拡大処理または縮小処理を行い、処理された画像信号を生成する信号処理部と、前記第２位置に前記被写体像が形成されているときの前記被写体像に基づいて、前記被写体像の一部に関する合焦状態を示す合焦信号を検知するフォーカスセンサと、前記画像信号に基づいて画像を表示する表示装置と、前記表示装置にさらに表示されるフォーカスフレームの生成を制御する制御部とを備えている。前記フォーカスフレームは、前記被写体像の一部に対応する前記画像上の位置に表示されて前記フォーカスセンサが合焦状態を検出する位置を示し、前記制御部は、前記信号処理部における前記画像の拡大処理または縮小処理に応じて、前記フォーカスフレームの表示を変更して前記表示装置に表示する。
【００１１】
前記制御部は、前記信号処理部における前記画像の拡大率または縮小率に応じて前記フォーカスフレームの大きさを変更して前記表示装置に表示してもよい。
【００１２】
前記フォーカスフレームは複数存在しており、前記制御部は、前記信号処理部における前記画像の拡大率または縮小率に応じて各フォーカスフレームの間の距離を変更して前記表示装置に表示してもよい。
【００１３】
前記制御部は、前記信号処理部における前記画像の拡大率または縮小率に対応させて、前記フォーカスフレームの複数の表示態様を示すデータを保持するメモリをさらに備え、前記制御部は、前記信号処理部における前記画像の拡大率または縮小率に応じて前記メモリを参照し、前記複数の表示態様を示すデータの一つを読み出し、読み出したデータに基づいて前記フォーカスフレームの大きさを変更して前記表示装置に表示してもよい。
【００１４】
前記メモリは、前記信号処理部における前記画像の拡大率または縮小率に対応させて、前記フォーカスフレームの表示位置および拡大率が異なる複数の表示態様を示すデータを保持してもよい。
【発明の効果】
【００１５】
上記の本発明によれば、一眼レフレックスタイプのデジタルカメラにおいて、電子ズーム使用時あるいは記録画素数を変更した撮影においても、撮影者の意図する合焦動作を実現可能なデジタルカメラを提供できる。
【発明を実施するための最良の形態】
【００１６】
以下、添付の図面を参照して、本発明によるデジタルカメラの実施形態を説明する。
【００１７】
図１は、本実施形態によるデジタルカメラの構成を示す。デジタルカメラは、一眼レフレックスカメラであり、カメラ本体１と撮像レンズ装置２とを含んでいる。撮像レンズ装置２は、レンズマウント２１を有し、デジタルカメラ１の前面に設けられたボディーマウント２３に着脱可能に装着されている。
【００１８】
デジタルカメラ１は、種々の光学的または電気的な要素を含んでいる。以下、撮像時のデジタルカメラ１の動作を説明とともに、デジタルカメラ１の各構成要素を説明する。
【００１９】
撮像レンズ装置２を通過した被写体光は、クイックリターンミラー４に至る。クイックリターンミラー４は光路に挿抜可能に配置されている。被写体光は、クイックリターンミラー４のメインミラー４ａにより２つの光束に分割され、反射光束はファインダ光学系１９へ導かれる。一方、透過光束は、クイックリターンミラー４の背面側に設けられたサブミラー４ｂで反射されて、焦点検出用ユニット５のＡＦ用光束として利用される。この焦点検出用ユニット５は、位相差検出方式が使用される。
【００２０】
メインミラー４ａで反射された光束はファインダースクリーン６上に結像される。ファインダースクリーン６上に結像された被写体像は、ペンタプリズム７および接眼レンズ８を介してファインダ接眼窓９から観察することができる。なお、ファインダースクリーン６は、撮像レンズ系の、光学的な像が形成される位置に配置されている。
【００２１】
カメラ本体１は、２つの撮影モードを有する。第１は、撮影者等がファインダ接眼窓９を観察しながら撮影する通常撮影モードであり、従来の一眼レフレックスカメラにおける通常の撮影モードである。
【００２２】
図２は、通常撮影モードにおけるカメラ本体１内の光路を示す。通常撮影モードにおいては、クイックリターンミラー４は、光路Ｘ上の所定位置に配置されているため、撮影者等は、ファインダ接眼窓９から被写体像を観察することができる。実際の撮影時には、クイックリターンミラー４が光路Ｘ外に跳ね上げられるとともに、シャッターユニット１０が開かれて撮像素子１１の撮像面上に被写体像が結像される。なお、撮像素子１１は、撮像レンズ系Ｌの光学的な像が形成される位置に配置されている。
【００２３】
一方、第２の撮影モードは、撮像素子から出力される画像信号を逐次処理して、画像信号に対応した可視画像を表示装置に逐次表示する撮影モード（以下、ライブビューモードという）である。図３は、ライブビューモードにおけるカメラ本体１内の光路を示す。ライブビューモードにおいては、クイックリターンミラー４を光路Ｘ上から退避させる。よって、液晶モニタ等の表示モニタ１６には、撮像素子１１を介して被写体の画像、いわゆるスルー画像が表示される。
【００２４】
再び図１を参照する。カメラ本体１内には、各種シーケンスをコントロールするボディーマイコン１２が搭載されている。撮像素子制御部１３は、撮像素子１１の駆動制御を行う。シャッター制御部１４は、シャッターユニット１０の駆動制御を行う。画像表示用の画像表示制御部１５は、撮像素子１１より画像信号を読み出し、所定の画像処理後、表示モニタ１６へ撮影画像を表示するよう制御する。また、画像記録制御部１７は、図示せぬＳＤカード（登録商標）などの記録媒体に対して、画像読み出し／記録部１８を介して、撮影画像のデータの読み書きを行う。なお、以下の説明では、便宜的に「画像を記録する」と記載する。
【００２５】
着脱可能な撮像レンズ装置２は、カメラ本体１内の撮像素子１１に被写体像を結ぶための撮像レンズ系Ｌを有する。また撮像レンズ装置２内の各種シーケンスをコントロールし、各種レンズ情報を内蔵したレンズマイコン２０が搭載されている。撮像レンズ装置２内には、フォーカスレンズ群２５を駆動制御するフォーカス制御部２６が搭載されている。さらに、絞りユニット２８を制御する絞り制御部２７が搭載されている。
【００２６】
また、カメラ本体１と撮像レンズ装置２とは、それぞれに設けられた撮像レンズ装置２側のレンズマウント２１の電気切片２２（図示せず）、カメラ本体１側のボディーマウント２３の電気切片２４（図示せず）を介して、各種の制御信号を授受する。
【００２７】
図４は、本実施形態に係る撮像レンズ装置２を取り付けたカメラ本体１の上面図である。
【００２８】
カメラ本体１は、被写体を撮影する際に撮影者等により支持される筐体である。このカメラ本体１は、シャッターボタン３０と、シャッタースピード設定ダイヤル３１とを含む。シャッターボタン３０と、シャッタースピード設定ダイヤル３１とは、カメラ本体１の上面の右側に設けられている。
【００２９】
シャッタースピード設定ダイヤル３１は、回転操作することにより、シャッタースピードの設定を行う操作部材である。また、シャッタースピード設定ダイヤル３１は、シャッタースピードが自動設定されるオートの位置を有する。
【００３０】
また、カメラ本体１は、表示モニタ１６を含む。表示モニタ１６は、カメラ本体１の撮影者等側の面に設けられている。表示モニタ１６の作用については後述する。
【００３１】
撮像レンズ装置２は、最も被写体に近い側に、フィルタマウント３７を持つ。撮像レンズ装置２は、フィルタマウント３７からカメラ本体１側へ（Ｚ軸の負の方向）向けて順に、ズームリング３８と、フォーカスリング３９と、絞りリング４０とを有する。ズームリング３８と、フォーカスリング３９と、絞りリング４０とは、いずれも円筒状の回転操作部材であり、撮像レンズ装置２の外周面において回転可能に配置されている。
【００３２】
図５は、本実施形態に係るカメラ本体１の背面図である。カメラ本体１は、電源ボタン７０、撮影／再生モード切り替えレバー７１、ＭＥＮＵボタン７２、十字操作キー７３、ＳＥＴボタン７４、絞り込みモードボタン７６、機能ボタン（１）７７、及び機能ボタン（２）７８とを含む。
【００３３】
電源ボタン７０は、カメラ本体１の電源のＯＮ／ＯＦＦを行う操作部材である。撮影／再生モード切り替えレバー７１は、レバーの切り替えを行うことにより、撮影モードと再生モードとの切り替えを行う操作部材である。ここで、撮影モードとは、カメラ本体１において、被写体像を新たに撮影して画像信号にするために設定されるモードである。また、再生モードとは、カメラ本体１において、既に撮影して格納されている画像信号を表示するために設定されるモードである。
【００３４】
ＭＥＮＵボタン７２は、表示モニタ１６に、各種操作メニューを表示させるための操作部材である。十字操作キー７３は、上下、左右の矢印キーを有し、各種操作メニューの表示項目を選択するための操作部材である。ＳＥＴボタン７４は、各種操作メニューの表示項目を確定するための操作部材である。絞り込みモードボタン７６は、このボタンを押すことにより、後述する絞り込みモードへと移行する。機能ボタン（１）７７、機能ボタン（２）７８は、それぞれによく使う撮影／再生時のメニューを割り当てる。
【００３５】
本実施の形態に係るデジタルカメラは、画像処理により被写体像を拡大・縮小する電子ズーム機能を有している。その電子ズーム機能は、画像処理の相違によって２つの撮影モード、具体的には、ＥＸ光学ズームモードおよびデジタルズームモードに分けることができる。ＥＸ光学ズームモードは、ズーム倍率に関わらず、記録される画像の画素数を一定に保つモードである。デジタルズームモードは、ズーム倍率が大きくなるにつれて、切り出される画像の画素数が小さくなり、記録または表示された画像が粗くなるモードである。
【００３６】
図６（ａ）および（ｂ）は、デジタルズームモードおよびＥＸ光学ズームモードをそれぞれオンまたはオフするときの、表示モニタ１６における表示例を示す。
【００３７】
図６（ａ）は、撮影モードとして、ライブビューモードが設定されている場合を示す。ライブビューモードが設定されている場合、ＥＸ光学ズームおよびデジタルズームがともに選択可能である。この例では、十字操作キー７３を用いて各アイコンを指定し、ＳＥＴボタン７４を押して設定を行うことができる。
【００３８】
図６（ｂ）は、撮影モードとして、通常撮影モードが設定されている場合を示す。撮影モードとして、通常撮影モードが設定されている場合、ＥＸ光学ズームおよびデジタルズームがともに選択不可能になる。この例では、十字操作キー７３を用いて各アイコンを指定しても、アイコンが選択不可能な状態になり、それぞれのモードの設定の受付けが禁止される。このように、通常撮影モードで、電子ズームの使用を禁止することにより、光学ファインダーを用いても、構図を決定しやすく、撮影者に使いやすいデジタルカメラとなる。
【００３９】
なお、撮影モードとしてライブビューモードが設定されている場合であっても、記録画素数としてＬ（最大）が設定されている場合、いずれの電子ズームの設定も受付けられない。電子ズームモードの設定を行う場合、記録画素数をＳ（最小）もしくはＭ（通常）を選択する。このような選択を行うことにより、電子ズームの設定を受付けることを可能にする。
【００４０】
以下、図７〜１０を参照しながら、ＥＸ光学ズームモードおよびデジタルズームモードをそれぞれ詳細に説明する。
【００４１】
図７（ａ）〜（ｃ）は、ＥＸ光学ズームモードの画像処理を示す。例として、撮像素子は７４０万画素の最大記録画素数を持ち、ＥＸ光学ズームモードにおいて記録される画像の画素数は３００万画素（一定値）とする。
【００４２】
図７（ａ）は、ユーザによって電子ズームモードが設定されていないとき（ズーム倍率が１．０倍に設定されたとき）の画像処理を示す。このときは、撮像素子の全画素数（７４０万画素）を利用して画像データが生成される。その後、７４０万画素の画像が全体的に縮小され、３００万画素の画像データに変換されて記録される。表示モニタ１６に表示される画像についても、７４０万画素の画像データが全体的に縮小されて、たとえば６４万画素の表示モニタ１６に表示される。
【００４３】
図７（ｂ）は、ユーザによってズーム倍率が１．２倍に設定されたときの画像処理を示す。このとき撮像素子の全画素数（７４０万画素）のうち、内側の５００万画素の画像が切り出される。切り出された画像は縮小され、３００万画素の画像データに変換されて記録される。表示モニタ１６に表示される画像については、記録対象となる３００万画素の画像が縮小されて生成される。
【００４４】
表示モニタ１６に表示された図７（ａ）の画像と図７（ｂ）の画像とを比較すると、図７（ｂ）の画像の画角の方が図７（ａ）の画像の画角よりも狭い。したがって、これらの画像を同じサイズの表示モニタ１６に表示すると、図７（ｂ）の画像は、図７（ａ）の画像を拡大したものとして表示される。
【００４５】
図７（ｃ）は、ユーザによってズーム倍率が１．５倍に設定されたときの画像処理を示す。このとき撮像素子の全画素数（７４０万画素）のうち、内側の３００万画素で撮影された画像が切り出される。切り出された画像の画素数は記録画素数と同じであるため、画像はそのまま記録される。表示モニタ１６に表示される画像については、記録対象となる３００万画素の画像が縮小されて生成される。表示された画像は、図７（ｂ）の例で表示モニタ１６に表示された画像をさらに拡大したものとなる。
【００４６】
なお、倍率の数値は例である。以下の説明においても同様である。
【００４７】
図８（ａ）〜（ｃ）は、ＥＸ光学ズームモードがレンズのズーム機能とともに利用されたときの原理を説明する模式図である。先の例と同様、撮像素子が７４０万画素の最大記録画素数を持つとする。また、撮像レンズ系の焦点距離は１４ｍｍ〜５０ｍｍであるとする。
【００４８】
図８（ａ）は、電子ズームモードが設定されていない状態を示している。この場合、撮像画像データについて、補間処理などの画素数を少なくする画像処理を施す。これにより、光学ズームの全倍率（１４ｍｍ〜５０ｍｍ）において、画像データの画素数は、最大記録画素数よりも少ない所定の画素数となる。例えば、７４０万画素の画像データを３００万画素相当の画像データに変換する。
【００４９】
図８（ｂ）は、倍率が１．２倍に指定されて５００万画素相当の電子ズームモードが設定された状態を示している。この場合、撮像素子が持つ７４０万画素相当の領域のうち、５００万画素相当分の中央部を切り取り、その後、３００万画素相当の画像データに変換する。このため、同一の撮像レンズ系を用いて光学ズームを行った場合、それぞれ１．２倍の焦点距離にシフトし、１６．８ｍｍ〜６０ｍｍの焦点距離に相当する画角が変化する。言い換えれば、同一の撮像レンズ系を用いて光学ズームを行った場合、記録画素数を劣化させることなく（記録画素数を３００万画素としたまま）、光学ズームの画角の変化を狭い側へ移行させることができる。
【００５０】
図８（ｃ）は、倍率が１．５倍に指定されて３００万画素相当の電子ズームモードが設定された状態を示している。この場合、撮像素子が持つ７４０万画素相当の領域のうち、３００万画素相当分の中央部を切り取って撮影が行われる。このため、同一の撮像レンズ系を用いて光学ズームを行った場合、それぞれ１．５倍の焦点距離にシフトし、２１ｍｍ〜７５ｍｍの焦点距離に相当する画角が変化する。同様に、同一の撮像レンズ系を用いて光学ズームを行った場合、記録画素数を劣化させることなく、光学ズームの画角の変化を狭い側へ移行させることができる。
【００５１】
図９（ａ）〜（ｃ）は、デジタルズームモードの画像処理を示す。撮像素子は７４０万画素の最大記録画素数を持つとする。
【００５２】
図９（ａ）は、ユーザによって電子ズームモードが設定されていないとき（ズーム倍率が１．０倍に設定されたとき）の画像処理を示す。このときの処理は、図７（ａ）に示すＥＸ光学ズームモードの画像処理と同じ処理が行われる。すなわち、撮像素子の全画素数（７４０万画素）を利用して画像データが生成され、その後、７４０万画素の画像が全体的に縮小され、３００万画素の画像データに変換されて記録される。表示モニタ１６に表示される画像についても、７４０万画素の画像データが全体的に縮小されて、たとえば６４万画素の表示モニタ１６に表示される。
【００５３】
図９（ｂ）は、ユーザによってズーム倍率が１．２倍に設定されたときの画像処理を示す。このとき撮像素子の全画素数（７４０万画素）のうち、内側の５００万画素の画像が切り出される。切り出された画像はそのまま記録される。表示モニタ１６に表示される画像については、切り出された５００万画素の画像が全体的に縮小されて、表示モニタ１６に表示される。
【００５４】
表示モニタ１６に表示された図９（ａ）の画像と図９（ｂ）の画像とを比較すると、図９（ｂ）の画像の画角の方が図９（ａ）の画像の画角よりも狭い。これらの画像を同じサイズの表示モニタ１６に表示すると、図９（ｂ）の画像は、図９（ａ）の画像を拡大したものとして表示される。
【００５５】
表示モニタ１６に表示された画像の品質については、図９（ｂ）の画像の方が図９（ａ）の画像よりも粗い。その理由は、表示モニタ１６に表示される画像は、図９（ａ）においては７４０万画素の画像に基づいて生成されるのに対し、図９（ｂ）においては５００万画素の画像に基づいて生成されているためである。
【００５６】
図９（ｃ）は、ユーザによってズーム倍率が１．５倍に設定されたときの画像処理を示す。このとき撮像素子の全画素数（７４０万画素）のうち、内側の３００万画素の画像が切り出される。切り出された画像はそのまま記録される。表示モニタ１６に表示される画像については、切り出された３００万画素の画像が全体的に縮小されて、表示モニタ１６に表示される。表示された画像は、図７（ｂ）の例で表示モニタ１６に表示された画像をさらに拡大したものとなる。そして表示モニタ１６に表示された画像の品質については、上述の理由と同じ理由により、図９（ｂ）の画像よりも図９（ｃ）の画像の方がさらに粗くなる。
【００５７】
図１０（ａ）〜（ｃ）は、デジタルズームモードがレンズのズーム機能とともに利用されたときの原理を説明する模式図である。先の例と同様、撮像素子が７４０万画素の最大記録画素数を持つとする。また、撮像レンズ系の焦点距離は１４ｍｍ〜５０ｍｍであるとする。
【００５８】
図１０（ａ）は、デジタルズームモードが設定されていない状態を示している。この場合は１４ｍｍ〜５０ｍｍの焦点距離に相当する範囲で画角が変化する。
【００５９】
図１０（ｂ）は、２倍相当のデジタルズームモードが設定された状態を示している。この場合、２倍に相当する中央部を切り取って撮影が行われる。このため、同一の撮像レンズ系を用いて光学ズームを行った場合、それぞれ２倍の焦点距離にシフトし、２８ｍｍ〜１００ｍｍの焦点距離に相当する画角が変化する。
【００６０】
図１０（ｃ）は、４倍相当のデジタルズームモードが設定された状態を示している。この場合、４倍に相当する中央部を切り取って撮影が行われる。このため、同一の撮像レンズ系を用いて光学ズームを行った場合、それぞれ４倍の焦点距離にシフトし、５６ｍｍ〜２００ｍｍの焦点距離に相当する画角が変化する。
【００６１】
上述の説明から理解されるように、デジタルズームモードは、大きく画角を変化させることができる。
【００６２】
なお、前述したＥＸ光学ズームモードとデジタルズームモードとを併用してもよい。併用することにより、さらに大きく画角を変化させることができる。例えば、３００万画素相当のＥＸ光学ズームモードと４倍のデジタルズームモードとを併用した場合、前述の撮像レンズ系が１４ｍｍ〜５０ｍｍの焦点距離であるとすると８４ｍｍ〜３００ｍｍの焦点距離に相当する画角を変化させることができる。
【００６３】
次に、図１１〜１４を参照しながら、ＥＸ光学ズームモード時およびデジタルズームモード時に、表示モニタ１６に表示される画面の詳細を説明する。
【００６４】
表示モニタ１６には、撮影前の被写体像に重畳して、ＡＦフレームが描画される。図１１は、表示モニタ１６に表示されたＡＦフレームＡおよびＢの例を示す。
【００６５】
表示されるＡＦフレームＡに対応する位置には、その位置の撮像素子から出力される画像信号の横方向の高周波成分の変化を検知するＡＦセンサーが配置されている。また、ＡＦフレームＢに対応する位置には、その位置の撮像素子から出力される画像信号の縦方向の高周波成分の変化を検知するＡＦセンサーが配置され、ＡＦ動作を行う。
【００６６】
電子ズームが設定されていない状態、すなわち倍率が１．０倍に設定されている状態では、ズーム領域全域にわたり、ＡＦフレームとＡＦセンサー配置位置とは合致しており、正確なＡＦ動作が行われる。なお「電子ズーム」とは、ＥＸ光学ズームモードおよびデジタルズームモードの一方または双方を意味している。以下の説明でも同様とする。
【００６７】
図１２は、被写体像に重畳してＡＦフレーム１２２〜１２４が表示されている例を示す。ここでは、二人の人物１２５および１２６とともに、二人の手前に電柱１２７が含まれる構図を例に挙げている。
【００６８】
まず、ユーザが電子ズームを設定していない状態においては通常撮影枠１２０が表示されている。次にユーザが電子ズームを設定すると、撮像素子の一部を使った撮影モードとなり、電子ズーム枠１２１が表示モニタ全体に表示される。
【００６９】
図１３は、電子ズーム枠１２１と被写体像との関係を示す。被写体像は電子ズームの倍率に応じて拡大されて表示されている。一方、図１３は、実線で示されたＡＦフレーム１２２〜１２４が、図１２に示す位置と同じ位置に表示されている例も示している。このＡＦフレーム１２２〜１２４は、人物Ａ及びＢの画像に重畳するようにＯＳＤ（Ｏｎ  Ｓｃｒｅｅｎ  Ｄｉｓｐｌａｙ）表示されている。
【００７０】
ところが、被写体像が電子ズームによって拡大されていることに鑑みると、実際のＡＦセンサーは破線で示された位置１３０〜１３２に存在しており、その位置の撮像素子から出力される画像信号を検出している。したがって、ＡＦフレーム１２２〜１２４を表示すると、人物Ａ及びＢに合焦しているとユーザが誤解をしてしまう。実際には、人物Ａ及び電柱に合焦するよう動作されるが人物Ｂについては合焦のための信号は検知されない。さらに、通常、カメラの合焦動作においては、被写体の中でも手前にある物に優先的に合焦するように制御されるのが一般的であり、本例の場合、人物Ａ，Ｂには合焦せずに電柱にのみ合焦してしまう。従って、撮影者の意図する合焦動作が保証されない。
【００７１】
このような電子ズーム設定時においても正確な合焦を確保するためには、電子ズームの倍率に応じて各ＡＦフレームを表示モニタ上に表示する必要がある。具体的には、電子ズームの倍率に応じて、各ＡＦフレームの表示位置（または各ＡＦフレーム間の間隔）および大きさを相似的に変化させる必要がある。
【００７２】
図１４は、図１３の例において破線で示されていたＡＦフレーム１３０〜１３２を示す。電子ズームの倍率に応じて各ＡＦフレームの表示位置および大きさを変化させているため、ユーザはＡＦフレーム１３０〜１３２を参照すれば、ＡＦセンサーの位置を確実に把握できることになる。よって、ユーザの意図する被写体に、焦点を合わせることができる。
【００７３】
なお、上述のＡＦフレーム１３０〜１３２を表示モニタ上に表示するためのフレームデータ処理は、たとえばボディーマイコン１２によって実現される。ボディーマイコン１２は、ユーザが入力した拡大率に基づいて各ＡＦフレームの表示位置および間隔の拡大率を変更する。
【００７４】
以下、図１５および図１６を参照しながら、本実施形態によるデジタルカメラにおいて実行されるＡＦフレームの表示処理を説明する。
【００７５】
図１５は、第１の例による、デジタルカメラのＡＦフレーム表示処理の手順を示すフローチャートである。デフォルト状態（電子ズーム非設定時）では、表示モニタ１６に表示されるＡＦフレームの大きさおよび距離は予め、後述のメモリに保持されているとする。
【００７６】
ステップＳ１において、ボディーマイコン１２は、各ＡＦフレームをデフォルト状態で表示モニタ１６に表示する。ステップＳ２において、ボディーマイコン１２は電子ズームの有無を判定する。電子ズームモードが設定されていない、すなわち倍率が１．０倍のときは、処理はステップＳ３に進み、設定されていれば処理はステップＳ４に進む。
【００７７】
ステップＳ３では、ボディーマイコン１２は引き続きそのデフォルト状態の各ＡＦフレームを後述のメモリから読み出して、ステップＳ５において表示する。
【００７８】
一方、ステップＳ４では、ボディーマイコン１２は、ユーザが設定した倍率を検知する。いま倍率はＮ倍（Ｎ＞１）であるとする。そしてステップＳ６において、表示位置および大きさをＮ倍にした各ＡＦフレームを生成し、ステップＳ５において当該各ＡＦフレームを表示モニタ１６に表示する。
【００７９】
たとえば、２倍の電子ズーム倍率が設定されている時は、ステップＳ４およびＳ６の処理により、ボディーマイコン１２は、ＡＦフレームの大きさを２倍にし、各ＡＦフレーム間の距離を２倍にする。その結果、図１４に示す、拡大率に応じた位置および大きさで各ＡＦフレームが表示される。これにより、実際のＡＦセンサー位置と表示モニタ１６上の被写体像の位置とのずれがなくなり、正確な合焦を実現できる。
【００８０】
図１６は、第２の例による、デジタルカメラのＡＦフレーム表示処理の手順を示すフローチャートである。この処理は、記録画素数を段階的に設定する電子ズームモード利用時に実行される。「記録画素数を段階的に設定する」とは、デジタルカメラにＡ倍およびＢ倍の電子ズームの設定があることを意味している。なおステップＳ１、Ｓ２およびＳ３については、図１５の処理と同じであるため、説明は省略する。
【００８１】
ステップＳ１０において、ボディーマイコン１２は、電子ズームの倍率がＡ倍か否かを検知する。Ａ倍であるときは処理はステップＳ１１に進み、Ａ倍でないときは処理はステップＳ１２に進む。
【００８２】
ステップＳ１１において、ボディーマイコン１２は、Ａ倍に拡大した各ＡＦフレームを生成する。一方、ステップＳ１２においては、電子ズームの拡大率は、他の選択肢であるＢ倍であるとして、Ｂ倍に拡大した各ＡＦフレームを生成する。
【００８３】
ステップＳ１１またはステップＳ１２の処理により、ステップＳ５において拡大率に応じた位置および大きさで各ＡＦフレームが表示される。これにより、実際のＡＦセンサー位置と表示モニタ１６上の被写体像の位置とのずれがなくなり、正確な合焦を実現できる。
【００８４】
なお、図１５および図１６において、拡大率に応じた各ＡＦフレームを生成する際には、検出した電子ズーム倍率に応じて随時計算を行ってもよい。または、電子ズーム倍率に応じて拡大された各ＡＦフレームの表示データを、予めメモリ内に複数格納していてもよい。または、基準となるＡＦフレーム画像をメモリ内に保持しておき、さらに、電子ズーム倍率に応じた表示位置および拡大率を記述したテーブルを、ボディーマイコン１２内の、またはボディーマイコン１２の外部のメモリ内に保持しておいてもよい。表１は、そのようなテーブルの例を示す。
【００８５】
【表１】
2008046620.tif 000003
【００８６】
ボディーマイコン１２は、画像の拡大率または縮小率に応じてメモリを参照し、必要な表示位置のデータおよび拡大率のデータを読み出して、ＡＦフレームを表示モニタ１６に表示すればよい。
【００８７】
なお、これまではＡＦフレームの拡大処理を説明した。しかしながら、電子ズーム処理によって拡大された画像を縮小する際においても、ボディーマイコン１２は、縮小率に応じた位置および大きさで各ＡＦフレームを縮小し、表示モニタ１６に表示すればよい。
【００８８】
また、図１１等においては、３つのＡＦフレームを例示したが、ＡＦフレームの数は任意である。３つより多くてもよいし、少なくてもよい。また各ＡＦフレームの形状も例であり、他の形状を採用してもよい。
【００８９】
次に、図１７および図１８を参照しながら、本実施形態によるカメラ本体１および撮像レンズ装置２のハードウェア構成を詳細に説明する。
【００９０】
図１７は、本実施形態によるカメラ本体１の制御システムを示すブロック図である。
【００９１】
ボディーマイコン１２は、シャッターボタン３０と、シャッタースピード設定ダイヤル３１と、撮影／再生モード切り替えレバー７１と、ＭＥＮＵボタン７２と、十字操作キー７３と、ＳＥＴボタン７４と、撮影モード切り替えボタン７５と、絞り込みモードボタン７６と、機能ボタン（１）７７と、機能ボタン（２）７８から信号を受信可能である。また、ボディーマイコン１２は、シャッター制御部１４と、クイックリターンミラー制御部４３へ信号を送信可能である。さらに、ボディーマイコン１２は、画像記録制御部１７と、画像表示制御部１５と、信号処理部５３との間で信号を相互に交信可能である。また、ボディーマイコン１２は、信号を格納するメモリ６８を持つ。
【００９２】
シャッター制御部１４は、ボディーマイコン１２からの制御信号に基づいてシャッター駆動モータ１０ａ（図示せず）を駆動する。クイックリターンミラー制御部４３は、ボディーマイコン１２からの制御信号に基づき、クイックリターンミラー駆動モータ４４を駆動する。
【００９３】
シャッターボタン３０は、ボディーマイコン１２へシャッタータイミングを送信する。シャッタースピード設定ダイヤル３１は、設定されたシャッタースピード情報及びシャッターモード情報を送信する。
【００９４】
撮像素子１１は、ＣＣＤ（Ｃｈａｒｇｅ  Ｃｏｕｐｌｅｄ  Ｄｅｖｉｃｅ）等である。撮像素子１１は、撮像レンズ装置２の撮影光学系Ｌにより形成される光学的な像を電気的な画像信号に変換する。撮像素子１１は、撮像素子制御部１３により駆動制御される。撮像素子１１から出力される画像信号は、信号処理部５１と、Ａ／Ｄ変換部５２と、信号処理部５３と、バッファメモリ５４と、画像圧縮部５６との順に処理される。
【００９５】
画像信号は、撮像素子１１から、信号処理部５１へ送信される。信号処理部５１は、撮像素子１１が出力する画像信号に、ガンマ処理等の信号処理を施す。画像信号は、信号処理部５１から、Ａ／Ｄ変換部５２へ送信される。Ａ／Ｄ変換部５２は、信号処理部５１から出力されたアナログ画像信号をデジタル信号に変換する。
【００９６】
画像信号は、Ａ／Ｄ変換部５２から、信号処理部５３へ送信される。信号処理部５３は、Ａ／Ｄ変換部５２によりデジタル信号に変換された画像信号のノイズ除去や輪郭強調等の信号処理を施す。また、信号処理部５３は、画像信号に対して電子ズーム処理を施すことが可能である。画像信号は、信号処理部５３から、バッファメモリ５４へ送信される。バッファメモリ５４は、信号処理部５３により処理された画像信号を一旦記憶する。バッファメモリ５４は、ＲＡＭ（Ｒａｎｄｏｍ  Ａｃｃｅｓｓ  Ｍｅｍｏｒｙ）である。また、信号処理部５３は、電子ズームされていない画像データ、又は電子ズーム後の画像データ、又はそれらの画像データのいずれかに所定の処理を施して生成した画像データを、表示用画像データとして出力可能である。
【００９７】
画像信号は、画像記録制御部１７からの指令に従って、バッファメモリ５４から、画像圧縮部５６に送信される。画像圧縮部５６は、画像記録制御部１７の指令に従って画像信号のデータを所定の大きさに圧縮する。画像信号は、所定の比率でデータの圧縮を受け、元のデータより小さなデータサイズになる。例えばこの圧縮方式として、ＪＰＥＧ（Ｊｏｉｎｔ  Ｐｈｏｔｏｇｒａｐｈｉｃ  Ｅｘｐｅｒｔｓ  Ｇｒｏｕｐ）方式が用いられる。
【００９８】
圧縮された画像信号は、画像圧縮部５６から画像読み出し／記録部１８へ送信される。一方、ボディーマイコン１２は、画像記録制御部１７及び画像表示制御部１５へ制御信号を送信する。画像記録制御部１７は、ボディーマイコン１２からの制御信号に基づいて画像読み出し／記録部１８を制御する。画像表示制御部１５は、ボディーマイコン１２からの制御信号に基づいて表示モニタ１６を制御する。
【００９９】
画像読み出し／記録部１８は、画像記録制御部１７の指令に基づいて、画像信号を内部メモリ及び／又はリムーバブルメモリに記録する。画像読み出し／記録部１８は、画像記録制御部１７の指令に基づいて、画像信号とともに記憶すべき情報を、内部メモリ及び／又はリムーバブルメモリに記録する。画像信号とともに記憶すべき情報は、画像を撮影した際の日時、焦点距離情報、シャッタースピード情報、絞り値情報、撮影モード情報を含む。
【０１００】
表示モニタ１６は、画像表示制御部１５の指令に基づいて、画像信号を可視画像として表示する。表示モニタ１６は、画像表示制御部１５の指令に基づいて、画像信号とともに表示すべき情報を、表示する。この時、ＡＦフレーム情報も画像表示制御部１５の指令に基づき、表示モニタ１６に表示される。この他、画像信号とともに表示すべき情報としては、焦点距離情報、シャッタースピード情報、絞り値情報、撮影モード情報、合焦状態情報、及び撮像レンズ装置２の絞りリング４０の有無、絞り値の設定ステップ、設定幅等の情報がある。
【０１０１】
また、表示モニタ１６は、画像表示制御部１５の指令に基づいて、所定の撮影／再生モードにおいて、撮影者等により設定されるべき設定画面を表示する。
【０１０２】
撮影者等が撮影する場合には、電源ボタン７０をＯＮにし、撮影／再生モード切り替えレバー７１を撮影モードに合わせる。これによりカメラ本体１の電源が入り、表示モニタ１６には、撮像素子１１により電気的な画像信号に変換された被写体が可視画像として、画像表示制御部１５の指令に基づいて表示される。
【０１０３】
カメラ本体１が撮影モードにある状態において、撮影者等がＭＥＮＵボタン７２を押すと、表示モニタ１６は、画像表示制御部１５の指令に基づき、撮影モードにおいて撮影者等により変更可能な設定の項目をアイコン化した設定メニュー画像を表示する。
【０１０４】
図１８は、本実施形態による撮像レンズ装置２の制御システムを示すブロック図である。
【０１０５】
レンズマイコン２０は、ズーム制御部６２と、フォーカス制御部２６と、絞り制御部２７との間で信号を相互に交信可能である。
【０１０６】
ズーム制御部６２は、ズームリニアセンサ６０から、Ａ／Ｄ変換部６１を介して、信号を受信可能である。ズーム制御部６２は、ズームリニアセンサ６０により検出されたズームリング３８の回転量を撮影光学系Ｌの焦点距離情報に変換する。ズーム制御部６２は、焦点距離情報をレンズマイコン２０へ送信する。
【０１０７】
フォーカス制御部２６は、Ａ／Ｄ変換部６４を介して、フォーカスリニアセンサ６３から信号を受信可能である。フォーカス制御部２６は、フォーカス駆動モータ６５へ信号を送信可能である。フォーカス制御部２６は、フォーカスリニアセンサ６３により検出され、Ａ／Ｄ変換部６４によりデジタル化されたフォーカスリング３９の回転角度より、フォーカスモードを判断する。フォーカス制御部２６は、判断した結果をレンズマイコン２０へ送信する。フォーカス制御部２６は、レンズマイコン２０からの指令に基づいてフォーカスリング３９の回転角度より検出した物点距離情報を、レンズマイコン２０へ送信する。フォーカス制御部２６は、レンズマイコン２０からの制御信号に基づいてフォーカス駆動モータ６５を駆動する。
【０１０８】
絞り制御部２７は、Ａ／Ｄ変換部６７を介して、絞りリニアセンサ６６から信号を受信可能である。絞り制御部２７は、絞り駆動モータ２８ｂへ信号を送信可能である。絞り制御部２７は、絞りリニアセンサ６６により検出され、Ａ／Ｄ変換部６７によりデジタル化された絞りリング４０の回転角度により、絞りモードを判断する。絞り制御部２７は、判断した結果をレンズマイコン２０へ送信する。絞り制御部２７は、レンズマイコン２０からの指令に基づいて絞りリング４０の回転角度より検出した絞り値情報を、レンズマイコン２０に送信する。絞り制御部２７は、レンズマイコン２０からの制御信号に基づいて絞り駆動モータ２８ｂを駆動する。
【０１０９】
レンズマイコン２０内のメモリ部６９には、撮像レンズ装置２ごとの各種プログラム、あるいは焦点距離及び被写体までの距離とフォーカスレンズ群２５の移動量との関係を示すデータや、絞りリング４０の搭載有無、絞り値の設定ステップ、設定幅等のデータなどが記憶されている。
【０１１０】
次に、カメラ本体１の撮影動作について説明する。前述のように、本実施の形態における撮像装置においては、２つの撮影モードを有する。
【０１１１】
まず図２に基づき、撮影者等が、ファインダ接眼窓９を覗いて撮影する通常撮影モードにおける駆動シーケンスについて説明する。
【０１１２】
撮影者等のシャッターボタン３０の半押し動作により、カメラ本体１内のボディーマイコン１２および各種ユニットには、電源が供給される。電源供給により起動するカメラ本体１内のボディーマイコン１２は、同じく電源供給で起動する撮像レンズ装置２内のレンズマイコン２０より、レンズマウント２１、ボディーマウント２３を介して、各種レンズデータを受け取り、内蔵するメモリ６８に保存する。次に、ボディーマイコン１２は、焦点検出用ユニット５より、焦点ずれ量（以後、Ｄｆ量という）を取得し、そのＤｆ量分、フォーカスレンズ群２５を駆動するようレンズマイコン２０に指示する。レンズマイコン２０は、フォーカス制御部２６をコントロールして、Ｄｆ量分だけフォーカスレンズ群２５を動作させる。このように焦点検出とフォーカスレンズ群２５の駆動を繰り返すうち、Ｄｆ量は小さくなり、所定量以下になった時に合焦と判断し、フォーカスレンズ群２５の駆動を止める。
【０１１３】
この後、ボディーマイコン１２は、シャッターボタン３０の全押し動作により、レンズマイコン２０に不図示の測光センサからの出力に基づいて計算された絞り値にするよう指示する。そして、レンズマイコン２０は、絞り制御部２７をコントロールし、指示された絞り値まで、絞りを絞り込む。絞り値の指示と同時にボディーマイコン１２は、クイックリターンミラー制御部４３により、クイックリターンミラー４の光路Ｘ上からの退避を行う。退避完了後、撮像素子制御部１３は、撮像素子１１の駆動を指示し、シャッターユニット１０の動作を指示する。なお、撮像素子制御部１３は、不図示の測光センサからの出力に基づいて計算されたシャッタースピードの時間だけ、撮像素子１１を露光する。
【０１１４】
露光完了後、撮像素子制御部１３は、撮像素子１１より画像信号を読み出し、所定の画像処理後、表示モニタ１６へ撮影画像を表示するよう制御し、また、画像読み出し／記録部１８を介して、記憶媒体に画像信号を書き込む。また、露光終了後、クイックリターンミラー４とシャッターユニット１０を初期位置にリセットする。ボディーマイコン１２は、レンズマイコン２０へ、絞りを開放位置にリセットするよう指示し、レンズマイコン２０は、各ユニットにリセット命令を行う。リセット完了後、レンズマイコン２０は、ボディーマイコン１２にリセット完了を伝える。ボディーマイコン１２は、レンズマイコン２０からのリセット完了情報と露光後の一連処理の完了を待ち、その後、シャッターボタン３０の状態が、押し込みされていないことを確認し、撮影シーケンスを終了する。
【０１１５】
次に図３に基づき、撮影者等が表示モニタ１６を用いて撮影するもう一つのライブビューモードにおける駆動シーケンスについて説明する。
【０１１６】
表示モニタ１６を用いて撮影する際には、撮影モード切り替えボタン７５を操作して、ライブビューモードにする。ライブビューモードに移行すると、ボディーマイコン１２は、クイックリターンミラー４を光路Ｘ上から退避させる。よって、被写体像が撮像素子１１に達するので、撮像素子制御部１３は、撮像素子１１より画像信号を読み出し、所定の画像処理後、表示モニタ１６へ撮影画像を表示させる。ここで、所定の画像処理には、前述の第１及び／又は第２の電子ズームが設定されている場合に画像範囲を設定する処理が含まれる。このように、撮影画像を表示モニタ１６に表示させることにより、撮影者等は、ファインダ接眼窓９を覗くことなく、被写体を追いかけることが可能となる。ここで、表示モニタ１６にはＡＦフレームが表示され、撮影者は合焦させたい被写体をＡＦフレームに合わせることで、撮影画像内の希望する位置に正確に合焦させることが出来る。また電子ズーム設定時であっても、前述の通り、所定の大きさのＡＦフレームを表示させることで、ＡＦセンサー位置とＡＦフレーム表示位置とのずれをなくし、正確な合焦を可能とする。
【０１１７】
次に、撮影者等のシャッターボタン３０の半押し動作により、カメラ本体１のボディーマイコン１２は、撮像レンズ装置２内のレンズマイコン２０より、レンズマウント２１、ボディーマウント２３を介して、各種レンズデータを受け取り、内蔵するメモリに保存する。次に、ボディーマイコン１２は、クイックリターンミラー制御部４３により、クイックリターンミラー４を光路Ｘ上の所定位置に戻し、焦点検出用ユニット５より、Ｄｆ量を取得し、そのＤｆ量分、フォーカスレンズ群２５を駆動するようにレンズマイコン２０に指示する。レンズマイコン２０は、フォーカス制御部２６をコントロールして、Ｄｆ量分だけフォーカスレンズ群２５を動作させる。このように焦点検出とフォーカスレンズ群２５の駆動を繰り返すうち、Ｄｆ量は小さくなり、所定量以下になったときに合焦と判断し、フォーカスレンズ群２５の駆動を止める。このとき、クイックリターンミラー４は光路Ｘ上の所定位置に戻されているため、被写体像は撮像素子１１に届かず、通常であれば表示モニタ１６は真っ黒の表示となるが、それでは撮影者が違和感を覚えることとなる。そこで、表示モニタ１６を真っ黒な表示とはせずに、シャッターボタン３０の半押し動作を行う直前に表示モニタ１６に表示されていた画像を静止画像として表示させる。こうすることで、撮影者は違和感を覚えることなく撮影を行うことが出来る。さらにこの時に表示されている画像はフレーミング時にリアルタイム表示される画像とは異なるため、そのことを示すため、表示モニタ１６に「ただいまＡＦ動作中。」等の表示を行っても良い。通常、このＡＦ動作は撮影者によるフレーミング動作が完了した後のごく短時間になされる操作であり、このような表示をしても大きな問題はなく、撮影者は「画像が表示されない」という大きな違和感を覚えることなく撮影を行うことが出来る。
【０１１８】
この後、ボディーマイコン１２は、シャッターボタン３０の全押し動作により、レンズマイコン２０に不図示の測光センサからの出力に基づいて計算された絞り値にするよう指示する。そして、レンズマイコン２０は、絞り制御部２７をコントロールし、指示された絞り値まで、絞りを絞り込む。絞り値の指示と同時にボディーマイコン１２は、クイックリターンミラー制御部４３により、クイックリターンミラー４の光路Ｘ上からの退避を行う。退避完了後、撮像素子制御部１３は、撮像素子１１の駆動を指示し、シャッターユニット１０の動作を指示する。なお、撮像素子制御部１３は、不図示の測光センサからの出力に基づいて計算されたシャッタースピードの時間だけ、撮像素子１１を露光する。
【０１１９】
露光完了後、撮像素子制御部１３は、撮像素子１１より画像信号を読み出し、所定の画像処理後、画像表示用表示モニタ１６へ撮影画像を表示するよう制御し、また、画像読み出し／記録部１８を介して、記憶媒体に画像信号を書き込む。また、露光終了後、クイックリターンミラー４は光路Ｘ上から退避させた状態に位置し、引き続き、ライブビューモードを継続することが可能となる。
【０１２０】
また、ライブビューモードを解除する場合には、撮影モード切り替えボタン７５を操作して、通常の撮影モード、すなわち、ファインダ接眼窓９を覗いて撮影するライブビューモードに移行する。この際には、クイックリターンミラー４を、光路Ｘ上の所定位置に戻す。また、カメラ本体１の電源を切断する際にも、クイックリターンミラー４を、光路Ｘ上の所定位置に戻す。
【０１２１】
このように、ライブビューモードを搭載することにより、デジタルカメラにおいても、表示モニタを用いて撮影できるようになり、ファインダを覗いて撮影する必要がなくなることから、とりわけ、デジタルカメラの撮影に不慣れな初心者にとっては、非常に使い易くなる。また、電子ズーム設定時にあっても適切な大きさのＡＦフレームを表示させることにより、表示されるＡＦフレームとＡＦセンサー位置とのずれをなくし、正確な合焦動作が可能となる。さらにライブビューモード時におけるＡＦ動作の最中に表示モニタ１６への画像の表示をとぎれさせることなく表示することで撮影者に違和感を覚えさせない撮影を可能とする。
【０１２２】
なお、実施の形態では、撮像レンズ装置としてズームレンズ系を備えた例を示したが、光学ズーム機能を持たない単一焦点レンズ系を備えた撮像レンズ装置を取り付けてもよい。この場合でも、第１の電子ズームモードは、記録画素数に基づいて拡大倍率が決定されるモードであり、第２の電子ズームモードは、拡大倍率そのものを受付けるモードであることには同一である。表示されるＡＦフレームの大きさについても、第１の電子ズームモードにあっては設定された記録画素数に応じた大きさの、第２の電子ズームモードにあっては設定された拡大倍率に応じた大きさのＡＦフレームを表示させることで正確な合焦動作が可能となる。
【産業上の利用可能性】
【０１２３】
本発明は、デジタルスチルカメラ、デジタルビデオカメラに適用可能であり、特に一眼レフレックスタイプのデジタルスチルカメラに好適である。
【図面の簡単な説明】
【０１２４】
【図１】本実施形態によるデジタルカメラの構成を示す図である。
【図２】通常撮影モードにおけるカメラ本体１内の光路を示す図である。
【図３】ライブビューモードにおけるカメラ本体１内の光路を示す図である。
【図４】本実施形態に係る撮像レンズ装置２を取り付けたカメラ本体１の上面図である。
【図５】本実施形態に係るカメラ本体１の背面図である。
【図６】（ａ）および（ｂ）は、デジタルズームモードおよびＥＸ光学ズームモードをそれぞれオンまたはオフするときの、表示モニタ１６における表示例を示す図である。
【図７】（ａ）〜（ｃ）は、ＥＸ光学ズームモードの画像処理を示す図である。
【図８】（ａ）〜（ｃ）は、ＥＸ光学ズームモードがレンズのズーム機能とともに利用されたときの原理を説明する模式図である。
【図９】（ａ）〜（ｃ）は、デジタルズームモードの画像処理を示す図である。
【図１０】（ａ）〜（ｃ）は、デジタルズームモードがレンズのズーム機能とともに利用されたときの原理を説明する模式図である。
【図１１】表示モニタ１６に表示されたＡＦフレームＡおよびＢの例を示す図である。
【図１２】被写体像に重畳してＡＦフレーム１２２〜１２４が表示されている例を示す図である。
【図１３】電子ズーム枠１２１と被写体像との関係を示す図である。
【図１４】図１３の例において破線で示されていたＡＦフレーム１３０〜１３２を示す図である。
【図１５】第１の例による、デジタルカメラのＡＦフレーム表示処理の手順を示すフローチャートである。
【図１６】第２の例による、デジタルカメラのＡＦフレーム表示処理の手順を示すフローチャートである。
【図１７】本実施形態によるカメラ本体１の制御システムを示すブロック図である。
【図１８】本実施形態による撮像レンズ装置２の制御システムを示すブロック図である。
【符号の説明】
【０１２５】
１  カメラ本体
２  撮像レンズ装置
４  クイックリターンミラー
９  ファインダ接眼窓
１０  シャッターユニット
１１  撮像素子
１２  ボディーマイコン
１４  シャッター制御部
１５  画像表示制御部
１６  表示モニタ
１８  画像読み出し／記録部
２０  レンズマイコン
２１  レンズマウント
２３  ボディーマウント
２５  フォーカスレンズ群
２７  絞り制御部
２８  絞りユニット
２８ａ  絞り羽根
２８ｂ  絞り駆動モータ
３０  レリーズボタン
３１  シャッタースピード設定ダイヤル
３３  指標
３８  ズームリング
３９  フォーカスリング
４０  絞りリング
４１  絞りリニアセンサ
４３  クイックリターンミラー制御部
４４  クイックリターンミラー駆動モータ
６２  ズーム制御部
６５  フォーカス駆動モータ
６９  撮像レンズ装置内メモリ
７１  撮影／再生モード切り替えレバー
７２  ＭＥＮＵボタン
７５  撮影モード切り替えボタン
７６  絞り込みモードボタン
７７  機能ボタン（１）
７８  機能ボタン（２）
【図１】
2008046620.tif 000004
【図２】
2008046620.tif 000005
【図３】
2008046620.tif 000006
【図４】
2008046620.tif 000007
【図５】
2008046620.tif 000008
【図６】
2008046620.tif 000009
【図７】
2008046620.tif 000010
【図８】
2008046620.tif 000011
【図９】
2008046620.tif 000012
【図１０】
2008046620.tif 000013
【図１１】
2008046620.tif 000014
【図１２】
2008046620.tif 000015
【図１３】
2008046620.tif 000016
【図１４】
2008046620.tif 000017
【図１５】
2008046620.tif 000018
【図１６】
2008046620.tif 000019
【図１７】
2008046620.tif 000020
【図１８】
2008046620.tif 000021